(57)【要約】  機関本体に回転可能に支持される制御軸（１３）と、この制御軸（１３）の回転位置に応じて機関圧縮比を変更可能な可変圧縮比機構（１０）と、制御軸（１３）を回転駆動するアクチュエータ（２１）と、アクチュエータ（２１）の回転動力を減速して制御軸（１３）へ伝達する減速機構（２２）と、を有する。この減速機構（２２）は、機関本体に固定されたハウジング（２６）内に回転可能に支持される回転軸（２４）と、この回転軸（２４）と制御軸（１３）とを連結するレバー（２５）と、を有する。機関本体に、制御軸（１３）を低圧縮比側もしくは高圧縮比側の一方の側へ最も回転した位置に機械的に規制する第１規制部（４２）を設ける。ハウジング（２６）に、回転軸（２４）を低圧縮比側もしくは高圧縮比側の他方の側へ最も回転した位置に機械的に規制する第２規制部（４１）を設ける。
2016009468.tif 000002
【特許請求の範囲】
【請求項１】
機関本体に回転可能に支持される制御軸と、
この制御軸の回転位置に応じて機関圧縮比を変更可能な可変圧縮比機構と、
上記制御軸を回転駆動するアクチュエータと、
上記アクチュエータの回転動力を減速して制御軸へ伝達する減速機構と、を有し、
この減速機構は、上記機関本体に固定されたハウジング内に回転可能に支持される回転軸と、この回転軸と制御軸とを連結するレバーと、を有する可変圧縮比内燃機関において、
上記機関本体に設けられ、上記制御軸を低圧縮比側もしくは高圧縮比側の一方の側へ最も回転した位置に機械的に規制する第１規制部と、
上記ハウジングに設けられ、上記回転軸を低圧縮比側もしくは高圧縮比側の他方の側へ最も回転した位置に機械的に規制する第２規制部と、を有する可変圧縮比内燃機関。
【請求項２】
上記第１規制部が、上記制御軸を高圧縮比側へ最も回転した位置に規制するものであり、
上記第２規制部が、上記回転軸を低圧縮比側へ最も回転した位置に規制するものである、請求項１に記載の可変圧縮比内燃機関。
【請求項３】
上記制御軸と回転軸の一方の軸の回転位置を検出する回転センサと、
上記制御軸と回転軸の他方の軸を、上記第１規制部もしくは第２規制部により機械的に規制した状態で、上記回転センサの検出信号に基づいて、圧縮比基準位置の学習動作を実施する基準位置学習手段と、
を有する請求項１又は２に記載の可変圧縮比内燃機関。
【請求項４】
上記回転センサが回転軸の回転位置を検出するものであり、
上記基準位置学習手段は、上記制御軸を第１規制部により機械的に規制した状態で、上記回転センサの検出信号に基づいて、圧縮比基準位置の学習動作を実施する、
請求項３に記載の可変圧縮比内燃機関。
【請求項５】
上記回転軸を第２規制部により機械的に規制した状態のとき、上記制御軸からレバーを介して回転軸に伝達される回転軸回りのトルクが最も小さくなる回転位置を含む所定の角度範囲内に上記回転軸が位置するように設定されている請求項１〜４のいずれかに記載の可変圧縮比内燃機関の制御装置。
【請求項６】
上記第１規制部が、上記制御軸を高圧縮比側へ最も回転したときに、上記制御軸の一部が突き当てられる高圧縮比側ストッパ面を有し、
上記第２規制部が、上記回転軸を低圧縮比側へ最も回転したときに、上記回転軸の一部が突き当てられる低圧縮比側ストッパ面を有し、
上記高圧縮比側ストッパ面の表面精度を、上記低圧縮比側ストッパ面の表面精度よりも高く設定した請求項１〜５のいずれかに記載の可変圧縮比内燃機関。
【請求項７】
上記可変圧縮比機構が、
クランクシャフトのクランクピンに回転可能に取り付けられるロアーリンクと、
このロアーリンクと内燃機関のピストンとを連結するアッパーリンクと、
上記制御軸とロアーリンクとを連結する制御リンクと、を有する請求項１〜６のいずれかに記載の可変圧縮比内燃機関の制御装置。
【発明の詳細な説明】
【技術分野】
【０００１】
本発明は、制御軸の回転位置に応じて機関圧縮比を変更可能な可変圧縮比機構を備えた可変圧縮比内燃機関の制御装置に関する。
【背景技術】
【０００２】
特許文献１には、制御軸の回転位置に応じて機関圧縮比を変更可能な可変圧縮比機構を備えた内燃機関（以下、「可変圧縮比内燃機関」と呼ぶ）が開示されている。制御軸を駆動するモータ等のアクチュエータと制御軸との間には減速機構が設けられ、この減速機構には、レバーを介して制御軸と連結された回転軸が設けられる。回転軸は、例えば機関本体に固定されるハウジング内に回転可能に支持される。
【先行技術文献】
【特許文献】
【０００３】
【特許文献１】特開２０１３−２５３５１２号公報
【発明の概要】
【発明が解決しようとする課題】
【０００４】
このような可変圧縮比内燃機関では、例えば回転軸を回転可能に保持するハウジングに、回転軸の高圧縮比側及び低圧縮比側への回転可能範囲を機械的に規制する高圧縮比側規制部と及び低圧縮比側規制部が設けられる。そして、回転軸の回転位置を検出する回転センサの検出信号に基づいて、一方の規制部により回転軸の回転位置を機械的に規制・位置決めした状態で、圧縮比基準位置の学習動作が実施される。【０００５】
しかしながら、規制部と回転センサとが同じハウジングに設けられていると、例えば規制部のストッパ面に制御軸が衝突する際の振動や変形等によって回転センサの検出精度が低下し、圧縮比基準位置の学習精度が低下するなどの問題を生じるおそれがある。【０００６】
そこで本発明は、可変圧縮比機構を備えた可変圧縮比内燃機関における圧縮比基準位置の学習精度を向上することを主たる目的としている。
【課題を解決するための手段】
【０００７】
本発明の可変圧縮比内燃機関は、機関本体に回転可能に支持される制御軸と、この制御軸の回転位置に応じて機関圧縮比を変更可能な可変圧縮比機構と、上記制御軸を回転駆動するアクチュエータと、上記アクチュエータの回転動力を減速して制御軸へ伝達する減速機構と、を有している。この減速機構は、上記機関本体に固定されたハウジング内に回転可能に支持される回転軸と、この回転軸と制御軸とを連結するレバーと、を有している。【０００８】
そして、上記機関本体に設けられ、上記制御軸を低圧縮比側もしくは高圧縮比側の一方の側へ最も回転した位置に機械的に規制する第１規制部と、上記ハウジングに設けられ、上記回転軸を低圧縮比側もしくは高圧縮比側の他方の側へ最も回転した位置に機械的に規制する第２規制部と、を有している。【０００９】
例えば、上記第１規制部が、上記制御軸を高圧縮比側へ最も回転した位置に規制するものであり、上記第２規制部が、上記回転軸を低圧縮比側へ最も回転した位置に規制するものである。【００１０】
好ましくは、上記制御軸と回転軸の一方の軸の回転位置を検出する回転センサと、上記制御軸と回転軸の他方の軸を、上記第１規制部もしくは第２規制部により機械的に規制した状態で、上記回転センサの検出信号に基づいて、圧縮比基準位置の学習動作を実施する基準位置学習手段と、を有している。
【発明の効果】
【００１１】
本発明によれば、制御軸が設けられる機関本体側と、回転軸が設けられるハウジング側とに、それぞれ圧縮比の回転可能範囲を規制する第１，第２規制部を設けている。このために、レイアウトの自由度が高く、例えば回転センサを用いた圧縮比基準位置の学習動作の際に、回転センサが設けられていない側の規制部によって制御軸もしくは回転軸を機械的に規制した状態とすることにより、回転センサによる検出精度の低下を抑制し、圧縮比基準位置の学習精度を向上することができる。
【図面の簡単な説明】
【００１２】
【図１】本発明の一実施例に係る可変圧縮比機構を備えた可変圧縮比内燃機関の制御装置を簡略的に示す構成図。
【図２】同じく上記実施例の可変圧縮比内燃機関の制御装置を簡略的に示す構成図。
【発明を実施するための形態】
【００１３】
以下、図１〜図３を参照して、本発明の一実施例に係る可変圧縮比機構１０を備えた可変圧縮比内燃機関１の制御装置を説明する。
【００１４】
図１を参照して、可変圧縮比内燃機関１は、機関本体としてのシリンダブロック２と、このシリンダブロック２の上に固定されるシリンダヘッド３と、により大略構成され、シリンダヘッド３のシリンダ４内にはピストン５が昇降可能に嵌合している。
【００１５】
可変圧縮比機構１０は、クランクシャフト６のクランクピン７に回転可能に取り付けられるロアーリンク１１と、このロアーリンク１１とピストン５とを連結するアッパーリンク１２と、シリンダブロック２に回転可能に支持される制御軸１３と、この制御軸１３とロアーリンク１１とを連結する制御リンク１４と、を有している。アッパーリンク１２の上端とピストン５とはピストンピン１５により相対回転可能に連結され、アッパーリンク１２とロアーリンク１１とは第１連結ピン１６により相対回転可能に連結され、ロアーリンク１１と制御リンク１４の上端とは第２連結ピン１７により相対回転可能に連結されている。ロアーリンク１１の下端部は、制御軸１３の回転中心となるジャーナル部１３Ａから偏心して設けられた制御偏心軸部１８に回転可能に取り付けられている。
【００１６】
図２に示すように、制御軸１３を回転駆動するアクチュエータとしてのモーター２１の出力軸２１Ａと、制御軸１３と、の動力伝達経路には、モーター２１の出力軸２１Ａの回転動力を減速して制御軸１３へ伝える減速機構２２が介装されている。この減速機構２２は、波動歯車装置などの大きな減速が得られる減速機２３と、この減速機２３の出力軸と一体的に回転する回転軸２４と、この回転軸２４と制御軸１３（図１参照）とを連結するレバー２５と、を有している。回転軸２４はシリンダブロック２に横付け固定されるハウジング２６内に収容配置されており、制御軸１３と平行な姿勢でハウジング２６に回転可能に支持されている。レバー２５はシリンダブロック２及びハウジング２６のスリットを貫通して延在している。
【００１７】
レバー２５の一端と、制御軸１３のジャーナル部１３Ａから径方向に延びる第１アーム２７の先端とは、第３連結ピン２８を介して相対回転可能に連結されている。レバー２５の他端と、回転軸２４の回転中心となるジャーナル部２４Ａから径方向へ延びる第２アーム２９の先端とは、第４連結ピン３０を介して相対回転可能に連結されている。
【００１８】
このような可変圧縮比機構１０は、モーター２１により減速機構２２を介して制御軸１３の回転位置を変更すると、制御リンク１４を介してロアーリンク１１の姿勢が変化して、ピストン上死点位置及びピストン下死点位置を含めたピストン５のストローク特性が変化して、機関圧縮比が連続的に変化する。
【００１９】
図２を参照して、ハウジング２６には、実際の機関圧縮比である実圧縮比を検出する圧縮比検出部として、実圧縮比に対応した回転軸２４の回転位置、すなわち圧縮比基準位置を検出する回転センサ３１が設けられている。またモーター２１には、モーター回転数を検出するモーター回転数検出センサ３２が設けられている。
【００２０】
制御部３３は、各種制御処理を記憶及び実行可能なデジタルコンピュータシステムであり、センサ３１，３２等から検出される機関運転状態に基づいて、各種のアクチュエータに制御信号を出力して、その動作を統括的に制御する。具体的には、吸気弁（あるいは排気弁）のバルブタイミングを変更可能な可変バルブタイミング機構３４を駆動制御して吸気弁の開時期及び閉時期を制御し、燃焼室内の混合気を火花点火する点火プラグ３５を駆動制御して点火時期を制御し、吸気通路を開閉する電制スロットル３６を駆動制御して、スロットル開度を制御する。
【００２１】
また制御部３３は、機関運転状態に応じて目標圧縮比を設定し、この目標圧縮比と、上記回転センサ３１により検出される実圧縮比と、の偏差を可及的に小さく維持するように、モーター２１の動作をフィードバック制御する。
【００２２】
図１に簡略的に示すように、互いに連動して回転する制御軸１３と回転軸２４の回転可能範囲は、低圧縮比側規制部としての低圧縮比側ストッパ面４１と、高圧縮比側規制部としての高圧縮比側ストッパ面４２と、により機械的に規制・制限されている。この実施例では、低圧縮比側ストッパ面４１がハウジング２６内に設けられ、回転軸２４が最も低圧縮比側（図１の矢印Ｙ１の方向）に回転すると、第２アーム２９の側面が低圧縮比側ストッパ面４１に突き当てられて、制御軸１３及び回転軸２４が低圧縮比側ストッパ位置に機械的に係止・規制されるようになっている。また、高圧縮比側ストッパ面４２がシリンダブロック２内に設けられ、制御軸１３が最も高圧縮比側（図１の矢印Ｙ２の方向）に回転すると、第１アーム２７の側面が高圧縮比側ストッパ面４２に突き当てられて、制御軸１３及び回転軸２４が高圧縮比側ストッパ位置に機械的に係止・規制されるようになっている。
【００２３】
回転センサ３１のイニシャライズ動作を実施する所定の機関運転状態、例えば機関始動直後（あるいは機関停止直前）である場合には、上記のイニシャライズ動作が実施される。このイニシャライズ動作では、回転軸２４を例えば高圧縮比側ストッパ面４２に突き当てて、制御軸１３を基準位置である高圧縮比側ストッパ位置に機械的に規制・係止させた状態で、回転センサ３１の実圧縮比に対応する検出値を、上記の圧縮比基準位置に対応した所定の初期値に初期化・学習する。これによって、実際の制御軸１３及び回転軸２４の回転位置と、回転センサ３１により検出される実圧縮比と、の対応関係を初期の正常な状態にリセットすることができる。
【００２４】
次に、このような本実施例において特徴となる構成やその作用効果について、以下に列記する。
【００２５】
（１）機関本体としてのシリンダブロック２に設けられ、制御軸１３を低圧縮比側もしくは高圧縮比側の一方の側へ最も回転した位置に機械的に規制する第１規制部としての高圧縮比側ストッパ面４２と、ハウジング２６に設けられ、回転軸２４を低圧縮比側もしくは高圧縮比側の他方の側へ最も回転した位置に機械的に規制する第２規制部としての低圧縮比側ストッパ面４１と、を有している。このように高圧縮比側ストッパ面４２と低圧縮比側ストッパ面４１とを制御軸１３側と回転軸２４側に分けて設けることで、レイアウトの自由度が増し、後述するように、圧縮比基準位置の学習動作の際に、制御軸１３と回転軸２４のうち、回転センサ２４が設けられる軸と、ストッパ面４１，４２により回転位置が機械的に規制される側の軸と、を異ならせることができる。これによって、軸のストッパ面への当接による振動や変形の影響を受けることなく学習動作を実施することができ、学習動作における検出精度を向上することができる。
【００２６】
（２）また本実施例では、第１規制部としての高圧縮比側ストッパ面４２が、制御軸１３を高圧縮比側へ最も回転した位置に規制し、第２規制部としての低圧縮比側ストッパ面４１が、回転軸２４を低圧縮比側へ最も回転した位置に規制するように構成している。つまり、学習動作の際に、機関本体側に設けられる高圧縮比側ストッパ面４２によって制御軸１３を機械的に規制することで、ハウジング側で規制する場合に比して、ストッパ面への衝突音が機関本体のオイルパンによって緩和されるために、学習動作時における衝突音を抑制することができる。また、ストッパ面４１，４２の一方にのみ軸を当接させて学習を行なうことで、学習時間を短縮することができる。
【００２７】
（３）制御軸１３と回転軸２４の一方の軸の回転位置を検出する回転センサ３１を設け、制御軸１３と回転軸２４の他方の軸を、第１規制部もしくは第２規制部により機械的に規制した状態で、回転センサ３１の検出信号に基づいて、圧縮比基準位置の学習動作を実施している。このように、圧縮比基準位置の学習動作の際に、制御軸１３と回転軸２４のうち、回転センサ２４が設けられる軸と、ストッパ面４１，４２により回転位置が機械的に規制される側の軸と、を異ならせることによって、軸のストッパ面４１，４２への当接に起因する振動や変形の影響を受けることなく学習動作を実施することができ、学習動作における検出精度を向上することができる。
【００２８】
（４）また本実施例では、回転センサ３１が回転軸２４の回転位置を検出するものであり、制御軸１３を高圧縮比側ストッパ面４２に機械的に規制した状態で、回転センサの検出信号に基づいて、圧縮比基準位置の学習動作を実施するようにしている。
【００２９】
高圧縮比側は制御軸１３の回転角度に対する圧縮比の変化量が大きいことから、圧縮比の精度要求が厳しい高圧縮比側で学習動作を実施することにより、高圧縮比側の制御精度を向上することができる。これによって、高圧縮比側でノッキングの発生を抑制することができるとともに、高圧縮比側ではバルブとピストンとが接近し易いことから、バルブとピストンとが過剰に接近することを抑制することができる。
【００３０】
また、制御軸１３側で回転位置を規制した上で、回転軸２４の回転位置を回転センサ３１により検出する構成とすることで、制御軸１３と回転軸２４との間の動力伝達経路におけるリンク長さ，軸孔，連結ピンクリアランス等のばらつきを相殺・吸収して、制御精度を向上することができる。
【００３１】
更に、最大負荷が作用する最低圧縮比時は、モーター２１の圧縮比保持トルクを低減するために、制御軸１３と回転軸２４間の減速比を大きく（好ましくは、最大化）することが効果的であるが、仮に制御軸１３側に低圧縮比側ストッパ面を設定すると、過大な減速比によってモータトルクが増幅されて、過大なトルクが低圧縮比側ストッパ面に作用し、低圧縮比側ストッパ面の摩耗や破損を生じるおそれがある。本実施例では、回転軸２４の側に低圧縮比側ストッパ面４１を設けているために、減速比が増幅されることがなく、ストッパ面４１に過大なトルクが作用することがないので、低圧縮比側ストッパ面４１の保護を図ることができる。
【００３２】
（５）回転軸２４を低圧縮比側ストッパ面４１に機械的に規制した状態のとき、制御軸１３からレバー２５を介して回転軸２４に伝達される回転軸回りのトルクが最も小さくなる回転位置を含む所定の角度範囲内に回転軸２４が位置するように設定されている。構造的には、レバー２５のリンク中心線２５Ａ（第３連結ピン２８の中心と第４連結ピン３０の中心とを結ぶ線）と、第２アーム２９のリンク中心線２９Ａ（回転軸２４のジャーナル部２４Ａの中心と第４連結ピン３０の中心とを結ぶ線）と、のなす角度θが小さくなるほど、制御軸１３からレバー２５を介して回転軸２４に伝達される回転軸２４回りのトルクが小さくなる。従って、制御軸１３及び回転軸２４を低圧縮比側ストッパ位置に係止させた状態のとき、上記の角度θが最も小さくなる位置（リンク中心線２５Ａとリンク中心線２９Ａとが同一線上にあるとき）を含む所定の角度範囲内に回転軸２４が位置するように設定している。
【００３３】
これによって、大きな燃焼荷重が作用する高負荷時や、大きな慣性荷重が作用する高回転時に、例えば何らかの理由により正常な圧縮比の制御が不能となった場合に、燃焼圧により低圧縮比側ストッパ位置まで低圧縮比化した後、制御軸１３から回転軸２４側へ作用するトルクを抑制し、低圧縮比側ストッパ位置の状態に安定して保持することができる。また、制御軸１３から回転軸２４へ変動トルクが作用しても、回転軸２４が低圧縮比側ストッパ面４１へ衝突することを低減するとともに、その衝突音を抑制し、摩耗や圧痕の発生を抑制することができる。
【００３４】
（６）高圧縮比側ストッパ面の表面精度を、低圧縮比側ストッパ面の表面精度よりも高く設定している。このように、学習制御に用いられる高圧縮比側ストッパ面４２の表面精度を確保しつつ、低圧縮比側ストッパ面４１の表面精度を緩和することで、例えば低圧縮比側ストッパ面４１の表面加工を省略し、製造工数の削減による生産性の向上及び低コスト化を図ることができる。
【図１】
2016009468.tif 000003
【図２】
2016009468.tif 000004
【国際調査報告】
2016009468.tif 000005
2016009468.tif 000006
2016009468.tif 000007
2016009468.tif 000008